(57)【要約】【課題】草刈刃で刈られた草をケーシング内で細かく裁断でき、効率のよい草刈を行なうことができるとともに、草刈刃で跳ねられた石等の飛び出しも少なくして簡易な防止でむようにした草刈機を提供する。【解決手段】建設機械のアームに着脱可能なものであり、草刈刃を有する回転ドラムと、回転ドラムを回転可能に支持するとともに収納するケーシングボディとを有する草刈機において、ケーシングボディは下方面を開口面とするとともに回転ドラムの周囲を囲い、かつ八角形ボディーとした。【選択図】図１
2018134025.tif 000002
【特許請求の範囲】
【請求項１】
建設機械のアームに着脱可能なものであり、草刈刃を有する回転ドラムと、回転ドラムを回転可能に支持するとともに収納するケーシングボディとを有する草刈機において、ケーシングボディは下方面を開口面とするとともに回転ドラムの周囲を囲い、かつ八角形ボディーとしたことを特徴とする草刈機。
【請求項２】
ケーシングボディは前フレームと後フレームを左右にして、これらを背骨フレームを上にして、下方左右に横フレームを配して継ぎ、面板をもって構成する請求項１記載の草刈機。
【請求項３】
背骨フレームには重機との取付用ブラケットを設け、この取付用ブラケットは前フレームにも固定し、ケーシングボディの片側で前フレームが位置する側にレーキを設ける請求項１または請求項２記載の草刈機。
【請求項４】
レーキは着脱かつ角度可変のものである請求項１ないし請求項３のいずれかに記載の草刈機。
【発明の詳細な説明】
【技術分野】
【０００１】
本発明は、建設機械のアームに着脱可能な草刈機に関する。
【背景技術】
【０００２】
油圧ショベルのアームに着脱可能な草刈機として下記特許文献に示すものがある。
【特許文献１】特開２０１５−８７０２号公報
【０００３】
これは  図１７に示すように、草刈機１３は、標準装備の作業具（バケット）又は他のオプション装備の作業具（詳細には、例えば破砕機や把持機）等と交換可能なものとして油圧ショベルのアーム１２に着脱するものである。
【０００４】
油圧ショベルは機械質量６トン未満のミニショベルで、クローラ式の下部走行体１と、この下部走行体１上に旋回輪１０を介して旋回可能に設けられた上部旋回体２と、この上部旋回体２の前側にスイングポスト３を介し連結された多関節型の作業装置４とを備える。
【０００５】
下部走行体１は、トラックフレーム５に駆動輪６と従動輪（アイドラ）７が回転可能に支持され、これら駆動輪６と従動輪７とに履帯（クローラ）８が掛けまわされる。
【０００６】
トラックフレーム５の前側には、排土用のブレード９を上下動可能に設けた。
【０００７】
作業装置４は、スイングポスト３に上下方向に回動可能に連結されたブーム１１、アーム１２、ブーム用油圧シリンダ１４、アーム用油圧シリンダ１５、及び作業具用油圧シリンダ１６から構成され、アーム１２に上下方向に回動可能に連結された草刈機１３を備える。
【０００８】
草刈機１３は、図１８に示すように、外周側に複数の草刈刃（ハンマーナイフ）２６が配列された回転体としての回転ドラム２７と、この回転ドラム２７を回転可能に支持するとともに収納するケーシングボディ２８と、このケーシングボディ２８の外側に取付けられて回転ドラム２７を回転させる草刈用モータ（回転装置）と、ケーシングボディ２８の上部に取付けられた重機との取付用ブラケット２９とを備え、ケーシングボディ２８は、略半分の筒状体３０と、この筒状体３０の両端に接合された側板３１とで構成した。
【０００９】
ケーシングボディ２８の筒状体３０の上部には、取付用ブラケット２９を回転可能に係合する円筒と、取付用ブラケット２９の回転位置を固定する固定機構（図示せず）とを設ける。
【００１０】
重機との取付用ブラケット２９は、アーム１２に回動可能に連結されるとともに、リンク機構を介して作業具用油圧シリンダ１６に連結される。
【００１１】
なお、ケーシングボディ２８における回転ドラム２７の回転方向の一方側には開口３４Ａを形成し、回転方向の反対側には開口３４Ｂを形成している。
【発明の概要】
【発明が解決しようとする課題】
【００１２】
前記特許文献１の草刈機では、草刈刃２６で跳ねられた石等が開口３４Ａからケーシングボディ２８外に飛び出す可能性があるとして開口３４Ａの大部分を覆うように、ゴム垂れ３５（第１の可撓性部材）を垂下している。
【００１３】
また、草刈刃２６で刈られた草を開口３４Ａからケーシングボディ２８外に放出しやすくするため等の理由から、ゴム垂れ３５の下端がケーシングボディ２８の側板３１の下端より上側に位置するようになっているため、草刈刃２６で跳ねられた石Ｓ等がその隙間からケーシングボディ２８外に飛び出す可能性があるので、ゴム垂れ３５に対し回転ドラム２７から遠ざかる方向に離間してゴム垂れ３７（第２の可撓性部材）を垂下している。
【００１４】
このように特許文献１の草刈機はケーシングボディ２８を構成する筒状体３０は略半分のものであり、草刈刃２６で刈られた草を放出しやすくするため開口３４Ａを大きく取る結果、十分に草を裁断できずに大きなままで放出されるおそれがある。
【００１５】
また、開口３４Ａを大きく取る結果、草刈刃２６で跳ねられた石等の飛び出し防止としてゴム垂れ３５とゴム垂れ３７との２重のゴム垂れを備えなければならない。
【００１６】
本発明の目的は前記従来例の不都合を解消し、草刈刃で刈られた草をケーシングボディ内で細かく裁断でき、効率のよい草刈を行なうことができるとともに、草刈刃で跳ねられた石等の飛び出しも少なくして簡易な防止ですむようにした草刈機を提供することにある。
【課題を解決するための手段】
【００１７】
前記目的を達成するため請求項１記載の本発明は、建設機械のアームに着脱可能なものであり、草刈刃を有する回転ドラムと、回転ドラムを回転可能に支持するとともに収納するケーシングボディとを有する草刈機において、ケーシングボディは下方面を開口面とするとともに回転ドラムの周囲を囲い、かつ八角形ボディーとしたことを要旨とするものである。
【００１８】
請求項１記載の本発明によれば、ケーシングボディは下方面を開口面とするとともに回転ドラムの周囲を囲うので草刈刃で跳ねられた石等の飛び出すおそれの少ないものである。
【００１９】
また、ケーシングボディが回転ドラムの周囲を囲っているので、草刈刃で刈られた草を草刈刃とともにケーシングボディ内を回わすことができる。
【００２０】
そして、草刈刃で刈られた草はケーシング内を回わす際に八角形ボディーの角部で衝突して拡散し、再度、草刈刃で破断され、何度か繰り返すうちに細かくなって下に落ちる。
【００２１】
なお、ケーシングボディを八角形ボディーとしたことは、左右対称の角数としてバランスを良くするとともに、下方面を開口面とするのに６角形では角の少ないものとなり、１０角形では十分な角度を得られないので、最適な刈られた草が衝突して拡散するのに好適な角数を得るものである。
【００２２】
請求項２記載の本発明は、ケーシングボディは前フレームと後フレームを左右にして、これらを背骨フレームを上にして、下方左右に横フレームを配して継ぎ、面板をもって構成することを要旨とするものである。
【００２３】
請求項２記載の本発明によれば、ケーシングボディをフレームと面板をもって構成することで軽量に形成でき、かつ、高速で回転しながら草や地表にあたる回転ドラムの振動に耐えられる堅牢な構造とすることができる。
【００２４】
請求項３記載の本発明は、背骨フレームには重機との取付用ブラケットを設け、この取付用ブラケットは前フレームにも固定し、ケーシングの片側で前フレームが位置する側にレーキを設けることを要旨とするものである。
【００２５】
請求項３記載の本発明によれば、ケーシングの片側にレーキを設けることで、回転ドラムの草刈刃で処理できなかった木の株などはこのレーキで掘り起こすことができる。また、このレーキは取付用ブラケットに近接して取付用ブラケットで背骨フレームと前フレームの両方を介してしっかりと支承でき、重機のアームの操作を確実にレーキに伝えて、掘り起こし作業を行うレーキの作業を楽に行なうことができる。
【００２６】
請求項４記載の本発明は、レーキは着脱かつ角度可変のものであることを要旨とするものである。
【００２７】
請求項４記載の本発明によれば、レーキは着脱できるものとして必要に応じて取付けることができ、不要な場合は取り付けないですむので邪魔なものとなることはない。また、レーキを角度可変のものとすることで、掘り起こし作業を行う対象に応じて使用することができる。
【発明の効果】
【００２８】
以上述べたように本発明の草刈機は、草刈刃で刈られた草をケーシング内で細かく裁断でき、効率のよい草刈を行なうことができるとともに、草刈刃で跳ねられた石等の飛び出しも少なくして簡易な防止ですむものである。
【発明を実施するための形態】
【００２９】
以下、図面について本発明の実施の形態を詳細に説明する。図１は本発明の草刈機の１実施形態を示す縦断側面図、図２は同上縦断正面図、図３は同上右側面図、図４は同上正面図、図５は同上左側面図で、前記従来例を示す図１７、図１８と同一構成要素には同一参照符号を付したものである。
【００３０】
図９〜図１４に示すように、本発明の草刈機１３は、前記従来例と同じく、標準装備の作業具（バケット）又は他のオプション装備の作業具（詳細には、例えば破砕機や把持機）等と交換可能なものとして油圧ショベルのアーム１２に着脱するものである。
【００３１】
図８に示すように油圧ショベルは機械質量６トン未満のミニショベルで、クローラ式の下部走行体１と、この下部走行体１上に旋回輪１０を介して旋回可能に設けられた上部旋回体２と、この上部旋回体２の前側にスイングポスト３を介し連結された多関節型の作業装置４とを備える。
【００３２】
下部走行体１は、トラックフレーム５に駆動輪６と従動輪（アイドラ）７が回転可能に支持され、これら駆動輪６と従動輪７とに履帯（クローラ）８が掛けまわされる。
【００３３】
トラックフレーム５の前側には、排土用のブレード９を上下動可能に設けた。
【００３４】
作業装置４は、スイングポスト３に上下方向に回動可能に連結されたブーム１１、アーム１２、ブーム用油圧シリンダ１４、アーム用油圧シリンダ１５、及び作業具用油圧シリンダ１６から構成され、アーム１２に上下方向に回動可能に連結された草刈機１３を備える。
【００３５】
本発明の草刈機１３は、前記従来例としての図１８にも示すように、外周側に複数の草刈刃（ハンマーナイフ）２６が配列された回転体としての回転ドラム２７と、このケーシングボディ２８の外側に取付けられて回転ドラム２７を回転させる草刈用モータ（回転装置）１７と、ケーシングボディ２８の上部に取付けられた重機との取付用ブラケット２９とを備える。
【００３６】
図中３３は回転ドラム２７の軸受けである。
【００３７】
本発明の回転ドラム２７は前記図１８で示す従来例での回転ドラム２７と比較して太径のものであり、これにより小型の草刈刃（ハンマーナイフ）２６がケーシングボディ２８の内側になるべく近づくことができるようにした。
【００３８】
図１５、図１６に草刈刃（ハンマーナイフ）２６の詳細を示すが、刃２６ｂは先端刃部が湾曲した板体であり、回転ドラム２７の周面に螺旋状に設けた取り付けブラケット２６ａに２枚の刃２６ｂを先端刃部が相互に外向きに開くようにして根本部をボルト２６ｃで取り付け、刃２６ｂはボルト２６ｃを軸に回転できるようになっている。
【００３９】
ケーシングボディ２８はフレームと面板をもって軽量に構成する。フレームは図４において左右に位置する前フレーム１８と後フレーム１９、および、これらを前フレーム１８と後フレーム１９背骨フレーム２０を上にして、下方左右に横フレーム２１を配して継ぎ、図１に示すように面板２２はその内側に張設する。
【００４０】
前記背骨フレーム２０および横フレーム２１は梁状のものであり、また、前フレーム１８と後フレーム１９はハウジング状の枠体に横梁を組み合わせたものである。
【００４１】
面板２２はこれで筒状体を構成するものであり、ケーシングボディ２８の下方面に開口２３を形成するため下面を開放とするとともに、回転ドラム２７の周囲を下側まで覆うように囲い、かつ折り曲げてケーシングボディ２８が八角形ボディーとなるようにした。
【００４２】
八角形となる角部は左右対称にあり、背骨フレーム２０の下側端で屈折するＡ、その下の傾斜部の下端で屈折するＢ、垂直な下降板部の下端で屈折するＣ、さらにこの垂直な下降板部の下端を内側に折り曲げてその先端が形成するＤの４つが並ぶ。
【００４３】
なお、角部ＣとＤを結ぶ外側は中空トラスの補強リブ３２として形成する。
【００４４】
前記取付用ブラケット２９は背骨フレーム２０に設けるが、この取付用ブラケット２９は前フレーム１８にも固定した。このようにして取付用ブラケット２９はケーシングボディ２８の片側で前フレーム１８が位置する側に寄せて設けられる。
【００４５】
取付用ブラケット２９は、アーム１２に回動可能に連結されるとともに、リンク機構を介して作業具用油圧シリンダ１６に連結されるようになっている。
【００４６】
ケーシングボディ２８の片側で前フレーム１８が位置する側にレーキ２４を着脱かつ角度変更可能に設けた。
【００４７】
レーキ２４は櫛刃状のものであり、その根本部である峯部近傍をケーシングボディ２８に設けた支持板（ブラケット）３８にパイプ３９で軸着し、支持板（ブラケット）３８は扇状としてその弧縁にそって形成する複数の止穴の一つを選択しこれにボルト４０をもってレーキ２４の途中部分を掛止めすることで、角度変更可能となる。
【００４８】
また、支持板（ブラケット）３８もケーシングボディ２８に着脱ボルト４１で止めて取り付けるものであり、これにより前記レーキ２４はケーシングボディ２８に着脱自在としてレーキ２４が不要な場合は支持板（ブラケット）３８共々ケーシングボディ２８から外しておくことができる。
【００４９】
ケーシングボディ２８の横フレーム２１の一方からのれん状のゴム垂れ３５を垂下し、これでケーシングボディ２８の下方面の開口２３の外側を覆う。ゴム垂れ３５の下端は開口２３よりも下側に位置している。
【００５０】
次に使用法について説明する。図９〜図１１は本発明の草刈機１３で草を刈っている状態を示すもので、草刈用モータ１７が一方向に回転して回転ドラム２７も一方向に回転する。
【００５１】
ケーシングボディ２８の下方面の開口２３を地表に極力近づければ、地面に生えている草が開口２３からケーシングボディ２８内に取込まれて、草刈刃２６で刈られ、刈られた草が外に放出される。
【００５２】
この時、また、ケーシングボディ２８が回転ドラム２７の周囲を囲っているので、草刈刃２６で刈られた草で大きなものは草刈刃２６とともにケーシングボディ２８内を回すことができ、草刈刃で刈られた草はケーシング内を回す際に八角形ボディーの角部で衝突して拡散し、再度、草刈刃で破断され、何度か繰り返すうちに細かくなって下に落ちる。
【００５３】
図１０に示すように、アーム１２および作業具用油圧シリンダ１６を伸ばして草刈機１３を移動し、図１１に示すようにアーム１２および作業具用油圧シリンダ１６で草刈機１３の角度を変えて傾斜地等でも対応できる。
【００５４】
回転ドラム２７で処理できなかった株などは、図１２〜図１４に示すようにレーキ２４を使用して掘り起こすことができる。
【００５５】
特にレーキ２４の使用に際しては図示のようにケーシングボディ２８を横向きに立てるようにして使用するが、取付用ブラケット２９はケーシングボディ２８の片側で前フレーム１８が位置する側に寄せて設けられるので安定した状態でレーキ２４を作用させることができる。
【００５６】
また、レーキ２４は角度が変更できるので、状況に応じて掘る作業を選択できる。
【図面の簡単な説明】
【００５７】
【図１】本発明の草刈機の１実施形態を示す縦断側面図である。
【図２】本発明の草刈機の１実施形態を示す縦断正面図である。
【図３】本発明の草刈機の１実施形態を示す右側面図である。
【図４】本発明の草刈機の１実施形態を示す正面図である。
【図５】本発明の草刈機の１実施形態を示す左側面図である。
【図６】レーキの側面図である。
【図７】レーキの正面図である。
【図８】レーキの平面図である。
【図９】本発明の草刈機の使用状態の第１段階の側面図である。
【図１０】本発明の草刈機の使用状態の第２段階の側面図である。
【図１１】本発明の草刈機の使用状態の第３段階の側面図である。
【図１２】本発明の草刈機のレーキ使用状態の第１段階の側面図である。
【図１３】本発明の草刈機のレーキ使用状態の第２段階の側面図である。
【図１４】本発明の草刈機のレーキ使用状態の第３段階の側面図である。
【図１５】本発明で使用する草刈刃の説明図である。
【図１６】本発明で使用する草刈刃の刃部分の説明図である。
【図１７】従来例の草刈機が取付けられた油圧ショベルの構造を表す側面図である。
【図１８】従来例を示す一部切り欠いた側面図である。
【符号の説明】
【００５８】
１…下部走行体                      ２…上部旋回体
３…スイングポスト                  ４…作業装置
５…トラックフレーム                ６…駆動輪
７…従動輪（アイドラ）              ８…履帯（クローラ）
９…ブレード                        １０…旋回輪
１１…ブーム                        １２…アーム
１３…草刈機                        １４…ブーム用油圧シリンダ
１５…アーム用油圧シリンダ          １６…作業具用油圧シリンダ
１７…草刈用モータ（回転装置）      １８…前フレーム
１９…後フレーム                    ２０…背骨フレーム
２１…横フレーム                    ２２…面板
２３…開口                          ２４…レーキ
２６…草刈刃                        ２６ａ…取り付けブラケット
２６ｂ…刃                          ２６ｃ…ボルト
２７…回転ドラム
２８…ケーシングボディ              ２９…取付用ブラケット
３０…筒状体                        ３１…側板
３２…補強リブ                      ３３…軸受
３４Ａ…開口                        ３４Ｂ…開口
３５…ゴム垂れ（第１の可撓性部材）  ３７…ゴム垂れ（第２の可撓性部材）
３８…支持板（ブラケット）          ３９…パイプ
４０…ボルト                        ４１…着脱ボルト
【図１】
2018134025.tif 000003
【図２】
2018134025.tif 000004
【図３】
2018134025.tif 000005
【図４】
2018134025.tif 000006
【図５】
2018134025.tif 000007
【図６】
2018134025.tif 000008
【図７】
2018134025.tif 000009
【図８】
2018134025.tif 000010
【図９】
2018134025.tif 000011
【図１０】
2018134025.tif 000012
【図１１】
2018134025.tif 000013
【図１２】
2018134025.tif 000014
【図１３】
2018134025.tif 000015
【図１４】
2018134025.tif 000016
【図１５】
2018134025.tif 000017
【図１６】
2018134025.tif 000018
【図１７】
2018134025.tif 000019
【図１８】
2018134025.tif 000020
【手続補正書】
【提出日】平成29年10月6日(2017.10.6)
【手続補正１】
【補正対象書類名】明細書
【補正対象項目名】全文
【補正方法】変更
【補正の内容】
【発明の詳細な説明】
【技術分野】
【０００１】
本発明は、建設機械のアームに着脱可能な草刈機に関する。
【背景技術】
【０００２】
油圧ショベルのアームに着脱可能な草刈機として下記特許文献に示すものがある。
【特許文献１】特開２０１５−８７０２号公報
【０００３】
これは  図１７に示すように、草刈機１３は、標準装備の作業具（バケット）又は他のオプション装備の作業具（詳細には、例えば破砕機や把持機）等と交換可能なものとして油圧ショベルのアーム１２に着脱するものである。
【０００４】
油圧ショベルは機械質量６トン未満のミニショベルで、クローラ式の下部走行体１と、この下部走行体１上に旋回輪１０を介して旋回可能に設けられた上部旋回体２と、この上部旋回体２の前側にスイングポスト３を介し連結された多関節型の作業装置４とを備える。
【０００５】
下部走行体１は、トラックフレーム５に駆動輪６と従動輪（アイドラ）７が回転可能に支持され、これら駆動輪６と従動輪７とに履帯（クローラ）８が掛けまわされる。
【０００６】
トラックフレーム５の前側には、排土用のブレード９を上下動可能に設けた。
【０００７】
作業装置４は、スイングポスト３に上下方向に回動可能に連結されたブーム１１、アーム１２、ブーム用油圧シリンダ１４、アーム用油圧シリンダ１５、及び作業具用油圧シリンダ１６から構成され、アーム１２に上下方向に回動可能に連結された草刈機１３を備える。
【０００８】
草刈機１３は、図１８に示すように、外周側に複数の草刈刃（ハンマーナイフ）２６が配列された回転体としての回転ドラム２７と、この回転ドラム２７を回転可能に支持するとともに収納するケーシングボディ２８と、このケーシングボディ２８の外側に取付けられて回転ドラム２７を回転させる草刈用モータ（回転装置）と、ケーシングボディ２８の上部に取付けられた重機との取付用ブラケット２９とを備え、ケーシングボディ２８は、略半分の筒状体３０と、この筒状体３０の両端に接合された側板３１とで構成した。
【０００９】
ケーシングボディ２８の筒状体３０の上部には、取付用ブラケット２９を回転可能に係合する円筒と、取付用ブラケット２９の回転位置を固定する固定機構（図示せず）とを設ける。
【００１０】
重機との取付用ブラケット２９は、アーム１２に回動可能に連結されるとともに、リンク機構を介して作業具用油圧シリンダ１６に連結される。
【００１１】
なお、ケーシングボディ２８における回転ドラム２７の回転方向の一方側には開口３４Ａを形成し、回転方向の反対側には開口３４Ｂを形成している。
【発明の概要】
【発明が解決しようとする課題】
【００１２】
前記特許文献１の草刈機では、草刈刃２６で跳ねられた石等が開口３４Ａからケーシングボディ２８外に飛び出す可能性があるとして開口３４Ａの大部分を覆うように、ゴム垂れ３５（第１の可撓性部材）を垂下している。
【００１３】
また、草刈刃２６で刈られた草を開口３４Ａからケーシングボディ２８外に放出しやすくするため等の理由から、ゴム垂れ３５の下端がケーシングボディ２８の側板３１の下端より上側に位置するようになっているため、草刈刃２６で跳ねられた石Ｓ等がその隙間からケーシングボディ２８外に飛び出す可能性があるので、ゴム垂れ３５に対し回転ドラム２７から遠ざかる方向に離間してゴム垂れ３７（第２の可撓性部材）を垂下している。
【００１４】
このように特許文献１の草刈機はケーシングボディ２８を構成する筒状体３０は略半分のものであり、草刈刃２６で刈られた草を放出しやすくするため開口３４Ａを大きく取る結果、十分に草を裁断できずに大きなままで放出されるおそれがある。
【００１５】
また、開口３４Ａを大きく取る結果、草刈刃２６で跳ねられた石等の飛び出し防止としてゴム垂れ３５とゴム垂れ３７との２重のゴム垂れを備えなければならない。
【００１６】
本発明の目的は前記従来例の不都合を解消し、草刈刃で刈られた草をケーシングボディ内で細かく裁断でき、効率のよい草刈を行なうことができるとともに、草刈刃で跳ねられた石等の飛び出しも少なくして簡易な防止ですむようにした草刈機を提供することにある。
【課題を解決するための手段】
【００１７】
前記目的を達成するため請求項１記載の本発明は、建設機械のアームに着脱可能なものであり、草刈刃を有する回転ドラムと、回転ドラムを回転可能に支持するとともに収納するケーシングボディとを有する草刈機において、ケーシングボディは、枠体と梁からなる前フレームと枠体と梁からなる後フレームを左右において、これら前フレームと後フレームとを相互に連結するように継ぐ背骨フレームと横フレームとこれら背骨フレームと横フレームに貼る面板をもって構成するもので、背骨フレームは横フレームに対して上に位置し、また、ケーシングボディは、下方面を開口面とするとともに回転ドラムの周囲を囲い、かつ八角形ボディーとし、背骨フレームには重機との取付用ブラケットを設け、この取付用ブラケットは前フレームにも固定し、ケーシングボディの片側で前フレームが位置する側にレーキを設けたことを要旨とするものである。
【００１８】
請求項１記載の本発明によれば、ケーシングボディは下方面を開口面とするとともに回転ドラムの周囲を囲うので草刈刃で跳ねられた石等の飛び出すおそれの少ないものである。
【００１９】
また、ケーシングボディが回転ドラムの周囲を囲っているので、草刈刃で刈られた草を草刈刃とともにケーシングボディ内を回わすことができる。
【００２０】
そして、草刈刃で刈られた草はケーシング内を回わす際に八角形ボディーの角部で衝突して拡散し、再度、草刈刃で破断され、何度か繰り返すうちに細かくなって下に落ちる。
【００２１】
なお、ケーシングボディを八角形ボディーとしたことは、左右対称の角数としてバランスを良くするとともに、下方面を開口面とするのに６角形では角の少ないものとなり、１０角形では十分な角度を得られないので、最適な刈られた草が衝突して拡散するのに好適な角数を得るものである。
【００２２】
また、ケーシングボディをフレームと面板をもって構成することで軽量に形成でき、かつ、高速で回転しながら草や地表にあたる回転ドラムの振動に耐えられる堅牢な構造とすることができる。
【００２３】
さらに、ケーシングの片側にレーキを設けることで、回転ドラムの草刈刃で処理できなかった木の株などはこのレーキで掘り起こすことができる。また、このレーキは取付用ブラケットに近接して取付用ブラケットで背骨フレームと前フレームの両方を介してしっかりと支承でき、重機のアームの操作を確実にレーキに伝えて、掘り起こし作業を行うレーキの作業を楽に行なうことができる。
【００２４】
請求項２記載の本発明は、レーキは着脱かつ角度可変のものであることを要旨とするものである。
【００２５】
請求項２記載の本発明によれば、レーキは着脱できるものとして必要に応じて取付けることができ、不要な場合は取り付けないですむので邪魔なものとなることはない。また、レーキを角度可変のものとすることで、掘り起こし作業を行う対象に応じて使用することができる。
【発明の効果】
【００２６】
以上述べたように本発明の草刈機は、草刈刃で刈られた草をケーシング内で細かく裁断でき、効率のよい草刈を行なうことができるとともに、草刈刃で跳ねられた石等の飛び出しも少なくして簡易な防止ですむものである。
【発明を実施するための形態】
【００２７】
以下、図面について本発明の実施の形態を詳細に説明する。図１は本発明の草刈機の１実施形態を示す縦断側面図、図２は同上縦断正面図、図３は同上右側面図、図４は同上正面図、図５は同上左側面図で、前記従来例を示す図１７、図１８と同一構成要素には同一参照符号を付したものである。
【００２８】
図９〜図１４に示すように、本発明の草刈機１３は、前記従来例と同じく、標準装備の作業具（バケット）又は他のオプション装備の作業具（詳細には、例えば破砕機や把持機）等と交換可能なものとして油圧ショベルのアーム１２に着脱するものである。
【００２９】
図８に示すように油圧ショベルは機械質量６トン未満のミニショベルで、クローラ式の下部走行体１と、この下部走行体１上に旋回輪１０を介して旋回可能に設けられた上部旋回体２と、この上部旋回体２の前側にスイングポスト３を介し連結された多関節型の作業装置４とを備える。
【００３０】
下部走行体１は、トラックフレーム５に駆動輪６と従動輪（アイドラ）７が回転可能に支持され、これら駆動輪６と従動輪７とに履帯（クローラ）８が掛けまわされる。
【００３１】
トラックフレーム５の前側には、排土用のブレード９を上下動可能に設けた。
【００３２】
作業装置４は、スイングポスト３に上下方向に回動可能に連結されたブーム１１、アーム１２、ブーム用油圧シリンダ１４、アーム用油圧シリンダ１５、及び作業具用油圧シリンダ１６から構成され、アーム１２に上下方向に回動可能に連結された草刈機１３を備える。
【００３３】
本発明の草刈機１３は、前記従来例としての図１８にも示すように、外周側に複数の草刈刃（ハンマーナイフ）２６が配列された回転体としての回転ドラム２７と、このケーシングボディ２８の外側に取付けられて回転ドラム２７を回転させる草刈用モータ（回転装置）１７と、ケーシングボディ２８の上部に取付けられた重機との取付用ブラケット２９とを備える。
【００３４】
図中３３は回転ドラム２７の軸受けである。
【００３５】
本発明の回転ドラム２７は前記図１８で示す従来例での回転ドラム２７と比較して太径のものであり、これにより小型の草刈刃（ハンマーナイフ）２６がケーシングボディ２８の内側になるべく近づくことができるようにした。
【００３６】
図１５、図１６に草刈刃（ハンマーナイフ）２６の詳細を示すが、刃２６ｂは先端刃部が湾曲した板体であり、回転ドラム２７の周面に螺旋状に設けた取り付けブラケット２６ａに２枚の刃２６ｂを先端刃部が相互に外向きに開くようにして根本部をボルト２６ｃで取り付け、刃２６ｂはボルト２６ｃを軸に回転できるようになっている。
【００３７】
ケーシングボディ２８はフレームと面板をもって軽量に構成する。フレームは図４において左右に位置する枠体に梁を組み合わせた前フレーム１８と枠体に梁を組み合わせた後フレーム１９、および、これらを前フレーム１８と後フレーム１９背骨フレーム２０を上にして、その下方に横フレーム２１を一対配して、下方左右に横フレーム２１を配してこれら背骨フレーム２０と横フレーム２１とで継ぎ、図１に示すように面板２２はその内側に張設する。
【００３８】
すなわち、ケーシングボディ２８は前フレーム１８と後フレーム１９と背骨フレーム２０と横フレーム２１とこれら背骨フレーム２０と横フレーム２１に貼る面板２２をもって構成する。
【００３９】
面板２２はこれで筒状体を構成するものであり、ケーシングボディ２８の下方面に開口２３を形成するため下面を開放とするとともに、回転ドラム２７の周囲を下側まで覆うように囲い、かつ折り曲げてケーシングボディ２８が八角形ボディーとなるようにした。
【００４０】
八角形となる角部は左右対称にあり、背骨フレーム２０の下側端で屈折するＡ、その下の傾斜部の下端で屈折するＢ、垂直な下降板部の下端で屈折するＣ、さらにこの垂直な下降板部の下端を内側に折り曲げてその先端が形成するＤの４つが並ぶ。
【００４１】
なお、角部ＣとＤを結ぶ外側は中空トラスの補強リブ３２として形成する。
【００４２】
前記取付用ブラケット２９は背骨フレーム２０に設けるが、この取付用ブラケット２９は前フレーム１８にも固定した。このようにして取付用ブラケット２９はケーシングボディ２８の片側で前フレーム１８が位置する側に寄せて設けられる。
【００４３】
取付用ブラケット２９は、アーム１２に回動可能に連結されるとともに、リンク機構を介して作業具用油圧シリンダ１６に連結されるようになっている。
【００４４】
ケーシングボディ２８の片側で前フレーム１８が位置する側にレーキ２４を着脱かつ角度変更可能に設けた。
【００４５】
レーキ２４は櫛刃状のものであり、その根本部である峯部近傍をケーシングボディ２８に設けた支持板（ブラケット）３８にパイプ３９で軸着し、支持板（ブラケット）３８は扇状としてその弧縁にそって形成する複数の止穴の一つを選択しこれにボルト４０をもってレーキ２４の途中部分を掛止めすることで、角度変更可能となる。
【００４６】
また、支持板（ブラケット）３８もケーシングボディ２８に着脱ボルト４１で止めて取り付けるものであり、これにより前記レーキ２４はケーシングボディ２８に着脱自在としてレーキ２４が不要な場合は支持板（ブラケット）３８共々ケーシングボディ２８から外しておくことができる。
【００４７】
ケーシングボディ２８の横フレーム２１の一方からのれん状のゴム垂れ３５を垂下し、これでケーシングボディ２８の下方面の開口２３の外側を覆う。ゴム垂れ３５の下端は開口２３よりも下側に位置している。
【００４８】
次に使用法について説明する。図９〜図１１は本発明の草刈機１３で草を刈っている状態を示すもので、草刈用モータ１７が一方向に回転して回転ドラム２７も一方向に回転する。
【００４９】
ケーシングボディ２８の下方面の開口２３を地表に極力近づければ、地面に生えている草が開口２３からケーシングボディ２８内に取込まれて、草刈刃２６で刈られ、刈られた草が外に放出される。
【００５０】
この時、また、ケーシングボディ２８が回転ドラム２７の周囲を囲っているので、草刈刃２６で刈られた草で大きなものは草刈刃２６とともにケーシングボディ２８内を回すことができ、草刈刃で刈られた草はケーシング内を回す際に八角形ボディーの角部で衝突して拡散し、再度、草刈刃で破断され、何度か繰り返すうちに細かくなって下に落ちる。
【００５１】
図１０に示すように、アーム１２および作業具用油圧シリンダ１６を伸ばして草刈機１３を移動し、図１１に示すようにアーム１２および作業具用油圧シリンダ１６で草刈機１３の角度を変えて傾斜地等でも対応できる。
【００５２】
回転ドラム２７で処理できなかった株などは、図１２〜図１４に示すようにレーキ２４を使用して掘り起こすことができる。
【００５３】
特にレーキ２４の使用に際しては図示のようにケーシングボディ２８を横向きに立てるようにして使用するが、取付用ブラケット２９はケーシングボディ２８の片側で前フレーム１８が位置する側に寄せて設けられるので安定した状態でレーキ２４を作用させることができる。
【００５４】
また、レーキ２４は角度が変更できるので、状況に応じて掘る作業を選択できる。
【図面の簡単な説明】
【００５５】
【図１】本発明の草刈機の１実施形態を示す縦断側面図である。
【図２】本発明の草刈機の１実施形態を示す縦断正面図である。
【図３】本発明の草刈機の１実施形態を示す右側面図である。
【図４】本発明の草刈機の１実施形態を示す正面図である。
【図５】本発明の草刈機の１実施形態を示す左側面図である。
【図６】レーキの側面図である。
【図７】レーキの正面図である。
【図８】レーキの平面図である。
【図９】本発明の草刈機の使用状態の第１段階の側面図である。
【図１０】本発明の草刈機の使用状態の第２段階の側面図である。
【図１１】本発明の草刈機の使用状態の第３段階の側面図である。
【図１２】本発明の草刈機のレーキ使用状態の第１段階の側面図である。
【図１３】本発明の草刈機のレーキ使用状態の第２段階の側面図である。
【図１４】本発明の草刈機のレーキ使用状態の第３段階の側面図である。
【図１５】本発明で使用する草刈刃の説明図である。
【図１６】本発明で使用する草刈刃の刃部分の説明図である。
【図１７】従来例の草刈機が取付けられた油圧ショベルの構造を表す側面図である。
【図１８】従来例を示す一部切り欠いた側面図である。
【符号の説明】
【００５６】
１…下部走行体                      ２…上部旋回体
３…スイングポスト                  ４…作業装置
５…トラックフレーム                ６…駆動輪
７…従動輪（アイドラ）              ８…履帯（クローラ）
９…ブレード                        １０…旋回輪
１１…ブーム                        １２…アーム
１３…草刈機                        １４…ブーム用油圧シリンダ
１５…アーム用油圧シリンダ          １６…作業具用油圧シリンダ
１７…草刈用モータ（回転装置）      １８…前フレーム
１９…後フレーム                    ２０…背骨フレーム
２１…横フレーム                    ２２…面板
２３…開口                          ２４…レーキ
２６…草刈刃                        ２６ａ…取り付けブラケット
２６ｂ…刃                          ２６ｃ…ボルト
２７…回転ドラム
２８…ケーシングボディ              ２９…取付用ブラケット
３０…筒状体                        ３１…側板
３２…補強リブ                      ３３…軸受
３４Ａ…開口                        ３４Ｂ…開口
３５…ゴム垂れ（第１の可撓性部材）  ３７…ゴム垂れ（第２の可撓性部材）
３８…支持板（ブラケット）          ３９…パイプ
４０…ボルト                        ４１…着脱ボルト
【手続補正２】
【補正対象書類名】特許請求の範囲
【補正対象項目名】全文
【補正方法】変更
【補正の内容】
【特許請求の範囲】
【請求項１】
建設機械のアームに着脱可能なものであり、草刈刃を有する回転ドラムと、回転ドラムを回転可能に支持するとともに収納するケーシングボディとを有する草刈機において、ケーシングボディは、枠体と梁からなる前フレームと枠体と梁からなる後フレームを左右において、これら前フレームと後フレームとを相互に連結するように継ぐ背骨フレームと横フレームとこれら背骨フレームと横フレームに貼る面板をもって構成するもので、背骨フレームは横フレームに対して上に位置し、また、ケーシングボディは、下方面を開口面とするとともに回転ドラムの周囲を囲い、かつ八角形ボディーとし、背骨フレームには重機との取付用ブラケットを設け、この取付用ブラケットは前フレームにも固定し、ケーシングボディの片側で前フレームが位置する側にレーキを設けたことを特徴とした草刈機。
【請求項２】
レーキは着脱かつ角度可変のものである請求項１記載の草刈機。